(57)【要約】【課題】室内観賞用の鉢植えの条件を有し、且つ植え替え後に熟した果実ができ、緑化、教育、空気の浄化、果物の経済価値の向上及び農業発展の促進という特徴を兼ね備えた、果樹の鉢植えの栽培方法の提供。【解決手段】本発明の果樹の鉢植えの栽培方法は主に接ぎ穂と台木を寄せ接ぎ法で接木し、寄せ接ぎ部位をテープで固定して、寄せ接ぎ部位が癒合した後接ぎ穂の下部を切断し、台木を肥沃な土壌を有する鉢に植え替えて固定し、室内観賞の条件を備え、果実を食用できる果樹の鉢植えを形成する。【選択図】図１
2010193889.tif 000002
【特許請求の範囲】
【請求項１】
果樹の鉢植えの栽培方法であって、
（ａ）接ぎ穂と台木を寄せ接ぎ法で接木する、
（ｂ）寄せ接ぎ部位をテープで固定し、寄せ接ぎ部位が癒合した後接ぎ穂の下部を切断する、
（ｃ）台木を肥沃な土壌を有する鉢に植え替えて固定し、果樹の鉢植えを形成する、
というステップを含むことを特徴とする、果樹の鉢植えの栽培方法。
【請求項２】
前記台木は２株以上を選択して接ぎ穂と寄せ接ぎを行い、接ぎ穂の支持を増加することができることを特徴とする、請求項１に記載の果樹の鉢植えの栽培方法。
【請求項３】
前記台木の栽培が、（ａ）台木をビニル鉢に植え、さらにビニル鉢をひもで接ぎ穂の親木上または柱に縛って支持・固定する、（ｂ）台木を底部に複数の孔を備えた鉢に植え、台木の根部を土に伸入させる、（ｃ）台木を直接土に植える、のいずれかを選択することができることを特徴とする、請求項１に記載の果樹の鉢植えの栽培方法。
【請求項４】
前記寄せ接ぎ部位に傷口癒合剤を塗布することを特徴とする、請求項１に記載の果樹の鉢植えの栽培方法。
【請求項５】
前記肥沃な土壌が、庭土、腐葉土、細粒砂のいずれかまたは２種類以上を組み合わせることができることを特徴とする、請求項１に記載の果樹の鉢植えの栽培方法。
【発明の詳細な説明】
【技術分野】
【０００１】
本発明は果樹の鉢植えの分野に関し、特に寄せ接ぎ法を用いて迅速に熟した果実を有する果樹の鉢植えを栽培する方法に関する。
【背景技術】
【０００２】
一般に果物の鉢植えは苗木を果樹園に植えて３年成長させた後、鉢に移して３〜４年栽培し、やっと開花して実を結ぶが、このような果物の鉢植えの栽培は時間が長くかかり、生産量にも限りがあって、栽培のコストが高く、相対して販売価格も高いため、普及しにくい。また、別の果物の鉢植えの栽培方法には、直接苗木を鉢の中に植え、特殊な肥料を与えて６〜７年経過すると開花して実を結ぶというものもあるが、このような果物の鉢植えの栽培も時間が長くかかり、結実率も優れず、果実が小さく、見た目も味も劣る。
【発明の概要】
【発明が解決しようとする課題】
【０００３】
従来の欠点を克服するため、本発明の主な目的は、室内観賞用の鉢植えの条件を有し、且つ植え替え後に熟した果実ができ、緑化、教育、空気の浄化、果物の経済価値の向上及び農業発展の促進という特徴を兼ね備えた、果樹の鉢植えの栽培方法を提供することにある。
【課題を解決するための手段】
【０００４】
本発明の果樹の鉢植えの栽培方法は、主に接ぎ穂と台木を寄せ接ぎ法で接木し、寄せ接ぎ部位をテープで固定して寄せ接ぎ部位が癒合した後、接ぎ穂の下部を切断し、台木を肥沃な土壌を有する鉢の中に移植して固定するというステップを含む。
【０００５】
上述の本発明の果樹の鉢植えの栽培方法において、台木は２株以上を選択して接ぎ穂と寄せ接ぎを行い、接ぎ穂の支持を増加することもできる。
【０００６】
上述の本発明の果樹の鉢植えの栽培方法において、台木の栽培は、（１）台木をビニル鉢に植え、ビニル鉢をひもで接ぎ穂の親木上または柱に縛り、支持・固定する、（２）底部に複数の孔を備えた鉢に台木を植え、台木の根部を土の中に伸入させる、（３）台木を直接土に植える、のいずれかの方法を選択することができる。
【０００７】
上述の本発明の果樹の鉢植えの栽培方法において、寄せ接ぎ部位に傷口癒合剤を塗布する。
【０００８】
上述の本発明の果樹の鉢植えの栽培方法において、肥沃な土壌は庭土、腐葉土、細粒砂のうちのいずれかまたは２種類以上を組み合わせた土壌とすることができる。
【図面の簡単な説明】
【０００９】
【図１】本発明の果樹の鉢植えの栽培方法の一実施例のフローチャートである。
【図２】本発明の果樹の鉢植えの実施例１を示す概略図である。
【図３】本発明の果樹の鉢植えの実施例２を示す概略図である。
【図４】本発明の果樹の鉢植えの実施例３を示す概略図である。
【図５】本発明の果樹の鉢植えの実施例４を示す概略図である。
【発明を実施するための形態】
【００１０】
以下、図面と最良の実施例に基づいて本発明を詳細に説明する。本発明の方法は任意の果樹の鉢植えの栽培に応用することができ、迅速に栽培及び量産ができ、果樹の鉢植えの観賞価値を達すると同時に、果実を食用することもでき、教育、環境の緑化及び美化、室内空気品質の改善、果樹の経済価値向上という特徴を兼ね備えている。
【００１１】
図１に本発明の最良の実施例のフローチャートを示す。本発明の果樹の鉢植えの栽培方法は、以下のステップを含む。
【００１２】
１、接ぎ穂の選択：親木上で２年生以上の成長が良好で、樹形がよく、且つ開花結実能力のある果樹の枝を接ぎ穂に選択し、接ぎ穂の枝の枝葉を剪定して養分の流失を減少し、接ぎ穂が十分な養分を得て成長かつ結実するようにする。
【００１３】
２、台木の選択：接ぎ穂と同じまたは近似の科、属、種の２年生以上の実生株を台木とし、その直径は接ぎ穂の枝の３分の２〜１倍とするが、同じ直径のものを優先して選択する。台木の枝は４分の１〜３分の１の枝葉を残して剪定し、養分の流失を減少して養分が接ぎ穂に供給されるようにする。
【００１４】
３、接木の実施：接ぎ穂と台木を寄せ接ぎ法で接木する。
【００１５】
４、寄せ接ぎの模擬：接ぎ穂と台木の２株の植物を接近させ、枝の寄せ接ぎをあらかじめ模擬する。
【００１６】
５、台木の栽培：台木の栽培方法は、接ぎ穂の高さによって決定する。栽培法には、（１）台木をビニル鉢に植え、さらにビニル鉢をひもで接ぎ穂の親木上または柱に縛り、支持・固定する、（２）台木を底部に複数の孔を備えた鉢に植え、台木の根部を土に伸入させる、（３）台木を直接土に植える、という方法がある。
【００１７】
６、寄せ接ぎ処理：接ぎ穂と台木の相対箇所を削り、木質部まで達させ、形成層を露出させる。
【００１８】
７、寄せ接ぎの実施：接ぎ穂と台木の形成層部位を合わせて放置し、充分に密着させ、テープまたはビニルシートでしっかりと縛る。
【００１９】
８、寄せ接ぎ後の管理：接ぎ穂が重量で断裂してしまうことがないよう、柱またはひもで接ぎ穂の枝を支持・固定する。図２及び図３に示すように台木を懸垂させる方法を採用した場合は水分と養分の供給に注意する必要があり、点滴管または自動集水器を用いて養分及び水分の供給を行うことができる。また、接ぎ穂は適切な野菜果物、樹形の剪定及び検査を行い、台木に生えた新芽は、接ぎ穂の枝葉の量によって取り除くか保留する。通常台木は本来の約３分の１の枝葉を保留し、接ぎ穂に養分が供給されるようにする。経験に基づき、異なる果樹の種類の鉢植えは約４０ｃｍ〜１２０ｃｍの間の高さが果物の鉢植えとするには最も適している。
【００２０】
９、接ぎ穂の切断：一般に接ぎ穂の切断時機の判断は、（１）接ぎ穂の果実の数量が鉢植えの条件に達し、果実の成長が熟成しつつあるとき（熟成の約１〜２か月前）、（２）接ぎ穂と台木の寄せ接ぎ箇所の結合が成功したときであり、経験に基づくと、結合時間は異なる果樹によってかかる時間が異なり、一般に３〜４か月で傷口が癒合し、さらに２〜３か月で接ぎ穂の果実が成長して熟成に近付き、接ぎ穂の下部を切断することができる。癒合の速度を速めるため、寄せ接ぎ部に傷口癒合剤を塗布し、接ぎ穂と台木の形成層が癒合する過程において、両者を貫通する維管束組織の形成を加速すると共に、傷口の病原菌感染を防止して、癒合、生長を促進し、接ぎ穂に養分を提供させる。
【００２１】
１０、鉢への移種：台木を通気性に優れた肥沃な土壌の鉢に植え替える。土壌は庭土、腐葉土、細粒砂のいずれかまたは２種類以上を組み合わせることができ、果樹に養分の提供を継続し、果樹の鉢植えの果実を熟成させ、果樹の鉢植えが完成する。
【実施例１】
【００２２】
本発明の構想に基づき、図２に本発明の実施例１の概略図を示す。この図に示すのは１つ目の台木の栽培方法であり、本発明の実施時に接ぎ穂の高さによって方法は決定するものとし、まず台木２０をビニル鉢２１に植え、ひもで接ぎ穂１１の親木１０上に縛り、台木２０と接ぎ穂１１の寄せ接ぎを行う。
【実施例２】
【００２３】
図３に本発明の実施例２の概略図を示す。この図に示すのは２つ目の台木の栽培方法であり、接木に２株の台木２０ａ、２０ｂを使用する場合は、まず２株の台木２０ａ、２０ｂをビニル鉢２１ａ、２１ｂに植え、ひもでビニル鉢２１ａ、２１ｂを親木１０の接ぎ穂１１上に縛り、２株の台木２０ａ、２０ｂと接ぎ穂１１の寄せ接ぎを行い、接ぎ穂の支持を増加する。
【実施例３】
【００２４】
さらに図４に本発明の実施例３の概略図を示す。この図に示すのは３つ目の台木の栽培方法であり、台木２０を土の上に置いた鉢２２に植え、この鉢２２は底部に複数の孔を備え、台木の根部を土に伸入させることができ、台木２０と接ぎ穂１１の寄せ接ぎを行う。
【実施例４】
【００２５】
図５に本発明の実施例４の概略図を示す。この図に示すのは４つ目の台木の栽培方法であり、実施時は台木２０を直接土に植え、台木２０と接ぎ穂１１の寄せ接ぎを行う。
【００２６】
本発明の果樹の鉢植えの栽培方法は主に植物の寄せ接ぎ結合の特性を利用して、接ぎ穂の親木による養分の提供で鉢植えにするための果実と果樹園中の果実を同時に成長管理し、接ぎ穂を親木から切断した後の養分の供給に台木の根を用いるもので、特性がある。栽培が迅速で約６か月〜１年で完成することができ、鉢植えの果樹と大量生産し、鉢植えの果樹を普及させ、より安価にすると共に、観賞、緑化、食用、教育、空気浄化、果物の経済価値向上、農民の収入増加、農業発展の促進という特性を兼ね備えている。
【符号の説明】
【００２７】
１０      親木
１１      接ぎ穂
２０、２０ａ、２０ｂ      台木
２１、２１ａ、２１ｂ      ビニル鉢
２２      鉢
【図１】
2010193889.tif 000003
【図２】
2010193889.tif 000004
【図３】
2010193889.tif 000005
【図４】
2010193889.tif 000006
【図５】
2010193889.tif 000007